(57)【要約】【課題】本発明の課題は、巻付防止用の円筒形カバー体を回転する除草ロータ側に設けることによって除草ロータの組立工数の低減、メンテ時の着脱容易化を図ることにある。【解決手段】本発明は、伝動ケース７を挟む左右両側に畝間に沿って接地転回させながら除草する除草ロータ１０，１０を回転駆動可能に軸架させて設け、前記伝動ケース７と除草ロータ１０との間にはロータ駆動軸１１への草の巻き付きを防止する円筒形カバー体１４を該ロータ側に設けて一体回転すべく構成してあることを特徴とする除草作業機の構成とする。また、円筒形カバー体１４には、除草ロータ１０の各除草ブレードを装着支持するブレード支持プレート１２から突設させた草侵入防止用円筒体１７を内嵌（又は外嵌）させて設けてあることを特徴とする除草作業機の構成とする。【選択図】図３
2008182989.tif 000002
【特許請求の範囲】
【請求項１】
伝動ケース（７）を挟む左右両側に畝間に沿って接地転回させながら除草する除草ロータ（１０），（１０）を回転駆動可能に軸架させて設け、前記伝動ケース（７）と除草ロータ（１０）との間にはロータ駆動軸（１１）への草の巻き付きを防止する円筒形カバー体（１４）を該ロータ側に設けて一体回転すべく構成してあることを特徴とする除草作業機。
【請求項２】
前記円筒形カバー体（１４）には、除草ロータ（１０）の各除草ブレードを装着支持するブレード支持プレート（１２）から突設させた草侵入防止用円筒体（１７）を内嵌させ又は外嵌させて設けてあることを特徴とする請求項１記載の除草作業機。
【発明の詳細な説明】
【技術分野】
【０００１】
この発明は、畝間に沿って接地転回させながら雑草を掘削除草する除草ロータを備えた除草作業機に関する。
【背景技術】
【０００２】
従来、圃場の畝間を除草する除草作業機には、特許文献１に示されるように、除草ロータを接地転回させることによって畝上に植えられた左右作物間の表土を掘削しながら畝間に生えている雑草を除草するものが知られている。また、この従来例に示されているように、除草ロータとチエンケースとの間に雑草が入り込むのを防止する草侵入防止具を備えた技術も知られている。
【特許文献１】特開２００６−２７１３１０号公報
【発明の開示】
【発明が解決しようとする課題】
【０００３】
上記従来例のように、除草ロータとチエンケースとの間に雑草が入り込むのを防止する草侵入防止具を設けたものでも、雑草の侵入は容易には阻止できず、ロータ軸に巻き付いて作業を不能にする問題があった。そこで、このロータ軸への巻き付きを防止するため、ロータ軸の外周を覆う円筒形のカバー体を設けるようにしているが、この円筒形カバー体をチエンケース側に固定したものでは、除草ロータの着脱に手間を要し、メンテナンス作業の能率低下を招く問題がある。
【０００４】
本発明の課題は、上記の円筒形カバー体を回転する除草ロータ側に設けることによって除草ロータの組立工数の低減、メンテ時の着脱容易化を図ることにある。
【課題を解決するための手段】
【０００５】
この発明は、上記課題を解決すべく次のような技術的手段を講じた。
すなわち、請求項１記載の本発明は、伝動ケース（７）を挟む左右両側に畝間に沿って接地転回させながら除草する除草ロータ（１０），（１０）を回転駆動可能に軸架させて設け、前記伝動ケース（７）と除草ロータ（１０）との間にはロータ駆動軸（１１）への草の巻き付きを防止する円筒形カバー体（１４）を該ロータ側に設けて一体回転すべく構成してあることを特徴とする。
【０００６】
伝動ケース（７）内の伝動装置を経て回転駆動される除草ロータ（１０）を畝Ｕと畝Ｕとの間の畝間に沿って転回移動させると、除草ロータ（１０）の外周部が畝間の表土に接地して転がり回転し、ロータ外周部の除草ブレード（１３）により掘削しながら除草する。除草ロータ（１０）と伝動ケース（７）間への草の侵入並びにこれに伴うロータ駆動軸への草の巻き付きは、除草ロータ（１０）と一体回転する円筒形カバー体（１４）によって阻止される。
【０００７】
円筒形カバー体（１４）は、除草ロータ（１０）側に取り付けるので、ロータのアッセンブリ組み立てが可能で、これにより組立工数が低減し、メンテ時の着脱も一体的に行え、着脱が容易となる。
【０００８】
請求項２記載の本発明は、請求項１において、前記円筒形カバー体（１４）には、除草ロータ（１０）の各除草ブレードを装着支持するブレード支持プレート（１２）から突設させた草侵入防止用円筒体（１７）を内嵌させ又は外嵌させて設けてあることを特徴とする。
【０００９】
巻付防止用円筒形カバー体（１４）のロータ側端部は、ロータ側のブレード支持プレート（１２）とこれより突設してカバー体内に嵌合する円筒体（１７）とによって閉塞される形になるので、除草ロータ（１０）により持ち上げられる雑草が円筒形カバー体内へ侵入するのを確実に阻止することができ、除草ロータの正転、逆転を問わず、草が内部に巻き込まれることがなくなり、円筒形カバー体内への草の侵入、巻き込み阻止によって除草ロータの回転負荷を軽減することができる。
【発明の効果】
【００１０】
以上要するに、請求項１の本発明によれば、除草ロータ（１０）と伝動ケース（７）間におけるロータ駆動軸（１１）への草の巻き付きは、除草ロータと一体的に回転する円筒形カバー体（１４）によって確実に防止できるものでありながら、円筒形カバー体（１４）は、除草ロータ側に取り付けるので、ロータのアッセンブリ組み立てが可能であり、これによって組立工数が低減し、メンテ時の着脱も一体的に行え、着脱の容易化を図ることができる。
【００１１】
また、請求項２の本発明によれば、請求項１の発明効果を奏するものでありながら、円筒形カバー体のロータ側端部がブレード支持プレートと円筒体とによって閉塞されるので、円筒形カバー体内への草の侵入、巻き込みを確実に阻止でき、除草ロータの除草作業負荷を大幅に軽減することができる。
【発明を実施するための最良の形態】
【００１２】
この発明の実施例を図面に基づき説明する。
図１は、トラクタ等の乗用管理機を示すものであり、この車体１の前後に左右の前輪２，２及び後輪３，３を備えている。車体前部のボンネット４内にエンジンＥを搭載し、このエンジンＥの回転動力をミッションケ−ス内の変速装置に伝え、この変速装置で減速された回転動力を前輪２と後輪３とに伝えるようにしている。
【００１３】
後輪３，３間の稍前側上部に運転席５が設置され、運転席５の前方には前輪２，２を操向操舵するステアリングハンドル６が設けられている。
車体１の後部には左右作物間の畝間に沿って移動させながら除草作業を行う除草ロータ１０を備えた除草作業機Ｒが昇降可能に装備されている。除草ロータ１０は、伝動ケース７に回転駆動可能に軸架されたロ−タ駆動軸１１と、ロータ駆動軸１１に嵌合固着されたロータ軸筒１１ａ，１１ｂに軸受保持された左右の円盤状支持プレート１２，１２と、左右の支持プレート１２，１２間にわたって横方向に連結された除草ブレード１３等からなり、３基の除草ロータ１０，１０，１０によって車体の走行に伴い各畝Ｕ，Ｕ，Ｕ間の畝間溝部に沿わせて転回移動させながらロータ外周の除草ブレード１３によって掘削し除草する構成としている。前記ロータ駆動軸１１は中央の駆動スプロケット８に券回する伝動チエン９を介してエンジンＥからの回転動力が伝達されるようになっている。
【００１４】
除草ロータ１０と伝動ケース７との間には、ロータ駆動軸１１の外周を被覆して該ロータ駆動軸への草の巻き付きを防止する径大の円筒形カバー体１４が設けられ、除草ロータ１０側に固着支持されていて、これと一体的に回転する構成としている。この円筒形カバー体１４は、実施例では、図３、図４に示すように、内側（伝動ケース側）のブレード支持プレート１２に取り付けられ、カバー体１４に固着の取付ネジ部１５とこれに螺合するナット１６を介して締付固定する構成としている。
【００１５】
また、除草ロータ１０と一体回転する円盤状支持プレート１２には、円筒形カバー体１４内への草の侵入を阻止する円筒形状の円筒体１７が突設されている。そして、この草侵入防止用円筒体１７は、図５、図６に示すように、締付固定具１８によって着脱自在に取り付けられて、前記カバー体１４内に嵌入され、円筒体１７の外周面はカバー体１４の内周面に接近して草の侵入が阻止されるようになっている。なお、円筒体１７は円筒形カバー体１４に外嵌させる構成であっても内嵌構成と同様の効果を奏する。
【００１６】
除草ブレード１３は、図７に示すように、左右一体化したアーチ状のブレード構成とすることもできるが、かかる構成によると、畝間の溝幅に応じたブレード幅に変更できない。本例では、図１３に示すように、そのブレード幅が変更できるように左右に分割した構成としている。つまり、本例の除草ブレード１３は、内ブレード（伝動ケース側）１３ｉと外ブレード１３ｏとからなるように左右独立構成とし、両者が互いにオーバラップするようにラップ部Ｗを設け、そして、ロータ駆動軸１１にロックピン１９を介して嵌合固着された内側のロータ軸筒１１ａに対し、外側のロータ軸筒１１ｂを左右横幅方向にスライド自在に嵌合し、ロータ軸筒１１ａ，１１ｂを固定する調節ピン２０に対する横幅調節孔の選択によってブレード幅を拡縮変更できる構成としている。
【００１７】
また、図８、図９に示すように、内ブレード１３ｉと外ブレード１３ｏの取付位相を大きくずらすことによって、対地土壌とブレードの接触回数を増加させ、中耕と除草が同時に行えるように構成することもできる。
【００１８】
更に、図９、図１０に示すように、内ブレード１３ｉの支持プレート１２に対する取付ホルダ２２は、円筒形カバー体１４及び草侵入防止用円筒体１７の内部に配置している。これによると、除草作業時にホルダ２２と畝間底部の土が直接接触することがなくなり、取付ホルダの摩耗を防止することができる。
【００１９】
図１１に示す実施例は、除草ロータ１０及びこれと一体回転する円筒形カバー体１４を正転、逆転可能な構成とし、除草時は反時計回りの正回転とし、時計回りの逆回転では円筒形カバー体１４上に溜まった雑草ｇを容易に後方へ排出できる構成としている。かかる正逆転の切り替えは、切替レバー２３の切替操作で行える。なお、前記巻付防止用円筒形カバー体１４は、該カバー体１４とロータ駆動軸１１との間にボールベアリングを介装することによって自由回転自在とし、草がカバー体の上方に堆積した場合には、このカバー体を手動にて回転させることで、後方に排除する構成とすることもできる。
【００２０】
また、図１２に示すように、円筒形カバー体１４とロータ駆動軸１１との間にワンウエイクラッチ２４を設け、ロータ１０の正転時では円筒形カバー体１４はフリー（自由回転）の状態とし、逆転時では該ロータ１０と一体となって逆回転するように構成することで、正転での除草作業時においては馬力ロスが軽減されことになってロータの高速運転が可能となり、図１３に示すように、除草作業機Ｒを上方に持ち上げた状態とし、切替レバー２３の操作でロータを逆回転駆動に切り替えた時には円筒形カバー体の上方に堆積した雑草ｇを後方へ自動排出することができる。
【００２１】
図１４に示すように、除草ロータ１０の背部には、側面視で伝動ケース後方に位置するゲージ輪２５との間において、泥除けカバー２６と巻込防止カバー２７が設けられてあり、特に、巻込防止カバー２７は、下端がブレード１３の回転軌跡Ｋの近傍に位置するよう次第に接近し、且つブレード幅全体にわたって設けられ、掘削後の草のブレードによる持ち帰りを少なくし、ロータ内部への草の巻き込みを防ぐようにしている。
【００２２】
また、図１４、図１５に示すように、除草ロータ１０の前側には、草丈の高い雑草を前方に向けて押し倒す倒伏ガイド２８がロータ幅全幅にわたって設けられ、ブレードによる掘削除草性能の向上を図るようにしている。なお、この倒伏ガイド２８の先端部は、実施例では、除草ロータのロータ軸芯近くに配置しているが、これよりもできるだけ低位に配置しておくと、後向きに倒れかかっている草も前倒れ状態に押し倒すことができ、掘削除草性能をより高めることができる。
【００２３】
また、図１６、図１７に示すように、円筒形カバー体１４の外周部に波形状の
突起１４ａを設けておくと、ブレード１３が持ち帰ろうとする草を、その突起１４ａにより引っ掛けて回転方向に送りながら脱落させることができ、ブレードによる草の持ち帰りが減少し、過負荷を防止することができる。
【００２４】
除草ロータ１０の前方には、伝動ケース７を挟む左右の除草ロータ１０，１０間への雑草の侵入を防ぐ分草体３０を設置している。この分草体３０は、図１４に示すように、ブレード１３によるブレード回転軌跡Ｋの最下部より前方に位置し、しかも、図１８に示すように、該分草体３０の下端に設けられた左右の分草ガイド３１Ｌ，３１Ｒが伝動ケース７の下部に位置する草を左右ロータのブレード回転軌跡圏内に導き案内するようになっている。
【図面の簡単な説明】
【００２５】
【図１】除草作業機を備えた乗用管理機の側面図
【図２】同上要部の背面図
【図３】除草ロータの背面図
【図４】同上要部の側面図及び背面図
【図５】除草ロータの要部の背面図
【図６】同上要部の側面図
【図７】除草ロータの背面図
【図８】除草ロータの側面図
【図９】同上背面図
【図１０】除草ロータ要部の側面図
【図１１】除草作業機の側面図
【図１２】除草ロータの背面図
【図１３】除草作業機のリフト状態を示す乗用管理機の側面図
【図１４】除草作業機の側面図
【図１５】除草ロータの背面図
【図１６】除草ロータ要部の側面図
【図１７】同上要部の背面図
【図１８】除草ロータの正面図
【符号の説明】
【００２６】
Ｒ    除草作業機                    ７    伝動ケース
１０    除草ロータ                  １１    ロータ駆動軸
１２    支持プレート                １３    除草ブレード
１４    円筒形カバー体              １５    取付ネジ部
１６    ナット                      １７    草侵入防止用円筒体
１８    締付固定具
【図１】
2008182989.tif 000003
【図２】
2008182989.tif 000004
【図３】
2008182989.tif 000005
【図４】
2008182989.tif 000006
【図５】
2008182989.tif 000007
【図６】
2008182989.tif 000008
【図７】
2008182989.tif 000009
【図８】
2008182989.tif 000010
【図９】
2008182989.tif 000011
【図１０】
2008182989.tif 000012
【図１１】
2008182989.tif 000013
【図１２】
2008182989.tif 000014
【図１３】
2008182989.tif 000015
【図１４】
2008182989.tif 000016
【図１５】
2008182989.tif 000017
【図１６】
2008182989.tif 000018
【図１７】
2008182989.tif 000019
【図１８】
2008182989.tif 000020